(57)【要約】【課題】跳ね上げ板の跳ね上げ面が版取付台から離間する方向に生じる撓みを抑制する。【解決手段】版胴１１の外周面の一部に固着させた版取付台２１上で版胴１１の軸方向の両端部に設けた一対の支持軸部３１，３１に回動可能に支持された一対の支点軸３６，３６と、一対の支点軸を介した一方側で版取付台に対して接離可能に設けられた長尺な跳ね上げ面３５ａと、一対の支点軸を介した他方側で版胴の軸方向の両端面よりも外側に設けられた一対のカムフォロワー３８Ｌ，３８Ｒとを有して跳ね上げ板３５を構成した際、版胴が跳ね上げ板開き位置以外の所定位置まで回転したときに版胴内周側から一対のカムフォロワーに当接して、閉じ状態の跳ね上げ面を版取付台に沿うように変位させる一対のガイド部材５０Ｌ，５０Ｒを、版胴の軸方向の両端面側に設けた一対の固定部材（２Ｌ，２Ｒ）に跳ね上げ板開き位置以外の所定位置と対応して取り付けている。【選択図】図４
2014213520.tif 000002
【特許請求の範囲】
【請求項１】
回転可能な版胴の外周面の一部に該版胴の軸方向に沿わせて固着させた長尺な版取付台上に、着版時に製版済みの孔版原紙の先端部をクランプして該孔版原紙を前記版胴の外周面に巻き付けるためのクランプ板と、排版時に前記クランプ板によるクランプを解除された前記孔版原紙の先端部を前記版取付台上から跳ね上げるための跳ね上げ板とを開閉可能に取り付けた孔版印刷装置において、
前記版取付台上で前記版胴の軸方向の両端部に設けた一対の支持軸部に回動可能に支持された一対の支点軸と、前記一対の支点軸を介した一方側で前記版取付台に対して接離可能に設けられた長尺な跳ね上げ面と、前記一対の支点軸を介した他方側で前記版胴の軸方向の両端面よりも外側に設けられた一対のカムフォロワーとを有し、前記版胴が跳ね上げ板開き位置まで回転した排版時に跳ね上げ板開閉用カムが該跳ね上げ板開き位置で版胴外周側から前記一対のカムフォロワーに当接して、前記跳ね上げ面で前記クランプ板からクランプを解除された前記孔版原紙の先端部を前記版取付台上から跳ね上げるように前記跳ね上げ板を構成した際、
前記版胴が前記跳ね上げ板開き位置以外の所定位置まで回転したときに版胴内周側から前記一対のカムフォロワーに当接して、閉じ状態の前記跳ね上げ面を前記版取付台に沿うように変位させる一対のガイド部材を、前記版胴の軸方向の両端面側に設けた一対の固定部材に前記跳ね上げ板開き位置以外の所定位置と対応して取り付けたことを特徴とする孔版印刷装置。
【発明の詳細な説明】
【技術分野】
【０００１】
本発明は、回転可能な版胴の外周面の一部にこの版胴の軸方向に沿って長尺な版取付台を固着させ、且つ、版取付台上にクランプ板と跳ね上げ板とを開閉可能に取り付けた孔版印刷装置に関する。
【背景技術】
【０００２】
一般的に、孔版印刷装置は、回転可能な円筒状の版胴の外周面に沿って製版済みの孔版原紙をクランプ板を介して巻回させ、且つ、版胴内に供給したインクを孔版原紙に形成した穿孔画像部分を通過させて用紙上にインク画像を印刷するものであり、１版分の孔版原紙により同一のインク画像を多数枚印刷することができるので多用されている。
【０００３】
この種の孔版印刷装置において、本出願人は、先に、版胴の外周面の一部に製版済みの孔版原紙の先端部を係止する孔版原紙係止装置を提案している（例えば、特許文献１参照）。
【０００４】
特許文献１に開示された孔版原紙係止装置は、ここでの図示を省略するが、回転可能な円筒状の版胴の外周面の一部に設けられている。
【０００５】
上記した孔版原紙係止装置は、版胴の外周面の一部にこの版胴の軸方向に沿って固着させた長尺な版取付台と、版取付台上に版胴の軸方向に沿って設けられた磁石板と、版取付台上で磁石板と対向して開閉可能に設けられて製版済みの孔版原紙の先端部を着版時にクランプするクランプ板と、版取付台上で磁石板と対向して開閉可能に設けられてクランプ板によるクランプを解除された孔版原紙の先端部を排版時に版取付台上から跳ね上げる跳ね上げ板とを有する孔版原紙クランプ部と、クランプ板を開閉する第１カムと、跳ね上げ板を開閉する第２カムとを有するカム駆動部とで構成されている。
【０００６】
従って、孔版原紙クランプ部は版胴の外周面の一部に設けられ、一方、カム駆動部は版胴の近傍に設けられている。
【先行技術文献】
【特許文献】
【０００７】
【特許文献１】特開２００１−２１９６３８号公報
【発明の概要】
【発明が解決しようとする課題】
【０００８】
ところで、特許文献１に開示された孔版原紙係止装置では、着版時に製版済みの孔版原紙の先端部を版取付台上の磁石板とクランプ板との間でクランプさせることができ、且つ、排版時にクランプ板によるクランプを解除された孔版原紙の先端部を跳ね上げ板で版取付台上から跳ね上げることができる。
【０００９】
この際、一般的に使用されている孔版印刷装置において、円筒状の版胴は、用紙最大サイズとしてＡ３サイズ（４２０ｍｍ×２９７ｍｍ）の用紙を印刷するために、Ａ３サイズの用紙の長手方向の長さ４２０ｍｍと対応してＡ３サイズ用の孔版原紙の長手方向が版胴の外周面に沿うように版胴の直径がφ１８０ｍｍ程度に設定されているので、Ａ３サイズの用紙の短手方向の長さ２９７ｍｍと対応したＡ３サイズ用の孔版原紙の短手方向である幅方向が版胴の軸方向に沿っている。
【００１０】
一方、最近、Ａ３サイズ（４２０ｍｍ×２９７ｍｍ）の用紙よりも大型サイズで例えばＡ２サイズ（５９４ｍｍ×４２０ｍｍ）の用紙を印刷できる孔版印刷装置の開発が要望されている。
【００１１】
この際、Ａ２サイズの用紙への印刷を可能とする孔版印刷装置の開発にあたって、版胴の直径を大径化せずに、Ａ２サイズ用の孔版原紙の短手方向の長さに対応させて版胴の直径を上記と同じ値であるφ１８０ｍｍ程度に設定した場合に、Ａ２サイズ用の孔版原紙の幅方向の長さはＡ２サイズの用紙の長手方向の長さ５９４ｍｍと対応することになるので、版胴の軸方向の長さ，磁石板の長さ，クランプ板のクランプ面の長さ，跳ね上げ板の跳ね上げ面の長さはＡ３サイズ用の孔版原紙の場合に対して２倍になってしまう。
【００１２】
これにより、Ａ２サイズの用紙への印刷を可能とする孔版印刷装置を開発する場合に、特許文献１に開示された孔版原紙係止装置の技術的思想を適用すると、磁石板の長さがＡ３サイズ用の場合よりも２倍長くなるために、クランプ板のクランプ面への吸着力及び跳ね上げ板の跳ね上げ面への吸着力は倍増する。
【００１３】
この際、Ａ２サイズ用に対応して形成したクランプ板は、磁性を有して厚みが１ｍｍのステンレス材（ＳＵＳ４００番台系）を用いて剛性を低く抑えて、着版時にクランプ板のクランプ面が孔版原紙を介して磁石板に吸着されているので、磁石板及びクランプ面の長さがＡ３サイズ用の場合よりも２倍長くなってもクランプ面を第１カムにより開くことが可能である。
【００１４】
一方、Ａ２サイズ用に対応して形成した跳ね上げ板は、クランプ板よりも厚みを厚くして剛性を高めて孔版原紙の先端部を跳ね上げる必要があり、且つ、着版時に跳ね上げ板の跳ね上げ面が孔版原紙の先端部の裏面側で磁石板に直接吸着されているために、磁石板及び跳ね上げ面の長さがＡ３サイズ用の場合よりも２倍長くなると、排版時に跳ね上げ板を第２カムにより開いたときに跳ね上げ面の長手方向の中央部位が磁石板から離れにくくなるために跳ね上げ面が変形してしまう。
【００１５】
この際、跳ね上げ板の跳ね上げ面の変形を防ぐために、跳ね上げ面を磁石板に吸着させないように改良を施したが、これ伴って、新たな問題点が生じてしまう。
【００１６】
即ち、Ａ２サイズ用に対応して形成した跳ね上げ板は、非磁性を有し、厚みが１．２ｍｍのＳＵＳ３０４を用いたときに、版胴の軸方向に沿って長尺に形成された跳ね上げ面の長さが約６８４ｍｍで、版胴の軸方向に対して直交する方向の寸法が約８ｍｍ程度になるので、新たな問題として跳ね上げ面が版取付台上から離間する方向に撓みを生じてしまう。
【００１７】
即ち、図８（ａ），（ｂ）に示した如く、従来例において、版胴が反時計方向（矢印方向）に回転して、版胴の外周面の一部に設けた孔版原紙クランプ部が版胴の下方に移動したときに、版取付台上に開閉可能に設けたクランプ板及び跳ね上げ板のうちで、クランプ板のクランプ面は版取付台上の磁石板に吸着されているので撓みは生じないが、磁石板に吸着されていない跳ね上げ板の跳ね上げ面は自重と遠心力の作用を受けるために、跳ね上げ面が版取付台上から離間する方向に撓み、跳ね上げ面の長手方向の中央部近傍で撓み量δが最大となり、約１〜２ｍｍ程度撓む。
【００１８】
これにより、跳ね上げ板の跳ね上げ面の最大撓み部位が、例えば、版胴側から用紙を分離するために版胴の外周面の外側の下方部位に接近して設けた用紙分離爪に衝突する危険性が生じてしまう。
【００１９】
この際、用紙分離爪は、版胴の軸方向の中央部位に設置されているために、跳ね上げ面の撓み量δが最大となる位置と対応するために衝突する危険性が大きくなってしまう。
【００２０】
そこで、Ａ３サイズの用紙よりも大型サイズで例えばＡ２サイズの用紙を印刷可能とする孔版印刷装置の開発にあたって、版胴の直径を大径化せずに、版胴の軸方向の長さをＡ３サイズの約２倍にした場合に、版胴の軸方向に沿って長尺に形成された跳ね上げ板の跳ね上げ面が版取付台上から離間する方向に撓んだときの撓み量を抑制できる孔版印刷装置を提供することを目的とする。
【課題を解決するための手段】
【００２１】
本発明は上記課題に鑑みてなされたものであり、請求項１に記載の発明は、回転可能な版胴の外周面の一部に該版胴の軸方向に沿わせて固着させた長尺な版取付台上に、着版時に製版済みの孔版原紙の先端部をクランプして該孔版原紙を前記版胴の外周面に巻き付けるためのクランプ板と、排版時に前記クランプ板によるクランプを解除された前記孔版原紙の先端部を前記版取付台上から跳ね上げるための跳ね上げ板とを開閉可能に取り付けた孔版印刷装置において、
前記版取付台上で前記版胴の軸方向の両端部に設けた一対の支持軸部に回動可能に支持された一対の支点軸と、前記一対の支点軸を介した一方側で前記版取付台に対して接離可能に設けられた長尺な跳ね上げ面と、前記一対の支点軸を介した他方側で前記版胴の軸方向の両端面よりも外側に設けられた一対のカムフォロワーとを有し、前記版胴が跳ね上げ板開き位置まで回転した排版時に跳ね上げ板開閉用カムが該跳ね上げ板開き位置で版胴外周側から前記一対のカムフォロワーに当接して、前記跳ね上げ面で前記クランプ板からクランプを解除された前記孔版原紙の先端部を前記版取付台上から跳ね上げるように前記跳ね上げ板を構成した際、
前記版胴が前記跳ね上げ板開き位置以外の所定位置まで回転したときに版胴内周側から前記一対のカムフォロワーに当接して、閉じ状態の前記跳ね上げ面を前記版取付台に沿うように変位させる一対のガイド部材を、前記版胴の軸方向の両端面側に設けた一対の固定部材に前記跳ね上げ板開き位置以外の所定位置と対応して取り付けたことを特徴とする孔版印刷装置である。
【発明の効果】
【００２２】
請求項１記載の孔版印刷装置によると、Ａ３サイズの用紙よりも大型サイズで例えばＡ２サイズの用紙を印刷可能とする孔版印刷装置を開発するに当たって、回転可能な版胴の外周面の一部にこの版胴の軸方向に沿って長尺な版取付台を固着させ、且つ、版取付台上にクランプ板と跳ね上げ板とを開閉可能に取り付けた孔版印刷装置において、版取付台上で版胴の軸方向の両端部に設けた一対の支持軸部に回動可能に支持された一対の支点軸と、一対の支点軸を介した一方側で版取付台に対して接離可能に設けられた長尺な跳ね上げ面と、一対の支点軸を介した他方側で版胴の軸方向の両端面よりも外側に設けられた一対のカムフォロワーとを有し、版胴が跳ね上げ板開き位置まで回転した排版時に跳ね上げ板開閉用カムが跳ね上げ板開き位置で版胴外周側から一対のカムフォロワーに当接して、跳ね上げ面でクランプ板からクランプを解除された孔版原紙の先端部を版取付台上から跳ね上げるように跳ね上げ板を構成した際、版胴が跳ね上げ板開き位置以外の所定位置まで回転したときに版胴内周側から一対のカムフォロワーに当接して、閉じ状態の跳ね上げ面を版取付台に沿うように変位させる一対のガイド部材を、版胴の軸方向の両端面側に設けた一対の固定部材に跳ね上げ板開き位置以外の所定位置と対応して取り付けている。
【００２３】
この結果、少量の追加部品となる一対のガイド部材を追加するだけで、跳ね上げ板の跳ね上げ面が版取付台上から離間する方向に生じる撓みが抑制されて、この跳ね上げ面を版取付台上に密着させることができるために、跳ね上げ面が版胴の外周面の外側に接近して設けた部材（例えば、用紙分離爪）に衝突する危険性がなくなるので、孔版印刷装置の信頼性向上に寄与できる。
【図面の簡単な説明】
【００２４】
【図１】本発明に係る孔版印刷装置の全体構成を示した構成図であり、（ａ）は版胴の外周面の一部に設けた孔版原紙クランプ部が版胴基準位置に至っている状態を示した側面図，（ｂ）はＡ部拡大図である。
【図２】本発明に係る孔版印刷装置において、孔版原紙クランプ部及びカム板駆動部を示した平面図である。
【図３】図１，図２に示したカム板駆動部を拡大して示した斜視図である。
【図４】（ａ），（ｂ）は本発明に係る孔版印刷装置において、孔版原紙クランプ部内に開閉可能に設けた跳ね上げ板の跳ね上げ面が版取付台上から離間する方向に生じる撓みを抑制するガイド部材を説明するための斜視図，正面図である。
【図５】（ａ），（ｂ）は版胴の外周面の一部に設けた孔版原紙クランプ部が着版位置に至ってクランプ板を開く状態を示した側面図，Ｂ部拡大図である。
【図６】（ａ），（ｂ）は印刷時に孔版原紙クランプ部内に開閉可能に設けた跳ね上げ板が用紙分離爪に接近した状態を示した側面図，Ｃ部拡大図である。
【図７】（ａ），（ｂ）は孔版原紙を排版する状態を示した側面図，Ｄ部拡大図である。
【図８】（ａ），（ｂ）は従来例において、孔版原紙クランプ部内に開閉可能に設けた跳ね上げ板の跳ね上げ面が版取付台上から離間する方向に生じる撓みを説明するための斜視図，正面図である。
【発明を実施するための形態】
【００２５】
以下に本発明に係る孔版印刷装置の一実施例について、図１〜図７を参照して詳細に説明する。
【実施例】
【００２６】
図１は本発明に係る孔版印刷装置の全体構成を示している。また、図２は本発明に係る孔版印刷装置において、孔版原紙クランプ部及びカム板駆動部を示している。また、図３はカム板駆動部を拡大して斜視的に示している。更に、図４は本発明に係る孔版印刷装置において、孔版原紙クランプ部内に開閉可能に設けた跳ね上げ板の跳ね上げ面が版取付台上から離間する方向に生じる撓みを抑制するガイド部材を斜視的に示している。
【００２７】
まず、図１に示す如く、本発明に係る孔版印刷装置１は、箱状に形成された筐体２内の略中央部位に印刷ユニット１０が設置されている。
【００２８】
この印刷ユニット１０では、円筒状の版胴１１が筐体２内に設けられて紙面に垂直な方向で間隔を離して互いに対向する一対の側板２Ｌ，２Ｒ（図２）間に回転可能に支持されている。
【００２９】
この際、版胴１１の軸方向が孔版原紙Ｇの幅方向の左右と対応しているので、紙面に垂直な方向を、左右方向と呼称して以下説明する。
【００３０】
また、版胴１１の外周面１１ａは後述するインクＩＫを浸み出せるように多孔性を有して長尺な円筒状に形成されており、この版胴１１が中心軸１２に連結されたエンコーダ付き版胴用モータ１３によって中心軸１２と一体に図示反時計方向に例えば６秒で１回転の速度（１０ｒｐｍ）で回転可能に設けられている。尚、版胴１１の中心軸１２の一端面側には、インクＩＫを挿入するためのインク挿入口１２ａが形成されている。
【００３１】
また、版胴１１の下方で用紙搬送方向の上流側には、Ａ２サイズ（５９４ｍｍ×４２０ｍｍ）の未印刷の用紙Ｐを給紙するための給紙ユニット３が設置され、一方、版胴１１の下方で用紙搬送方向の下流側には印刷ユニット１０で印刷された印刷済みの用紙Ｐを排紙するための排紙ユニット４が設置されている。
【００３２】
また、筐体２内で版胴１１の上方部位の一方側には、孔版原紙Ｇを製版するための製版ユニット５が設置されており、この製版ユニット５で製版された製版済みの孔版原紙Ｇの先端部Ｇａが版胴１１の外周面１１ａの上方部位に向けて搬送されるようになっている。
【００３３】
また、筐体２内で版胴１１の上方部位の他方側には、使用済みの孔版原紙Ｇを版胴１１から取り外して排版するための排版ユニット６が設置されている。
【００３４】
また、筐体２内で版胴１１の外周面１１ａの下方中央部位には、プレスローラ７が版胴１１側に対して接離可能に設けられており、このプレスローラ７は用紙Ｐを印刷するときに用紙Ｐを介して版胴１１側に押圧するようになっている。
【００３５】
また、筐体２内で版胴１１の外周面１１ａの外側の下方部位には、印刷時に用紙Ｐを版胴１１側から分離するための用紙分離爪８が版胴１１の外周面１１ａに接近して設置されている。
【００３６】
更に、筐体２内の適宜な場所に孔版印刷装置１を全体的に制御する制御部９が設置されている。
【００３７】
上記から本発明に係る孔版印刷装置１では、Ａ３サイズ（４２０ｍｍ×２９７ｍｍ）の用紙よりも大型サイズで給紙ユニット３から搬送される例えばＡ２サイズ（５９４ｍｍ×４２０ｍｍ）の用紙Ｐを印刷ユニット１０で印刷可能に構成されている。
【００３８】
上記に伴って、版胴１１の直径φＤは、Ａ２サイズ用の孔版原紙Ｇの短手方向の長さに対応させてφ１８０ｍｍ程度に設定されており、Ａ２サイズの用紙Ｐの短手方向の長さ４２０ｍｍと対応してＡ２サイズ用の孔版原紙Ｇの短手方向が版胴１１の外周面１１ａに沿って巻回され、且つ、Ａ２サイズの用紙Ｐの長手方向の長さ５９４ｍｍが版胴１１の軸方向に沿うので、Ａ２サイズ用の孔版原紙Ｇの長手方向である幅方向は版胴１１の軸方向と対応している。
【００３９】
一方、図２に示した如く、Ａ２サイズの用紙Ｐと対応して製版されたＡ２サイズ用の孔版原紙Ｇの長手方向となる幅寸法Ｗは、Ａ２サイズの用紙Ｐ（図１）の長手方向の長さ５９４ｍｍよりも長く６３０ｍｍ程度に設定されていると共に、版胴１１の軸方向の長さＬはＡ２サイズ用の孔版原紙Ｇの幅寸法Ｗよりも長く約６８０ｍｍ程度に設定されている。
【００４０】
図１（ａ）に戻り、版胴１１の外周面１１ａ上の一部には、Ａ２サイズの用紙Ｐと対応して製版されたＡ２サイズ用の孔版原紙Ｇの先端部Ｇａをクランプするための孔版原紙クランプ部２０が設けられており、孔版原紙クランプ部２０によってクランプされた孔版原紙Ｇは版胴１１の外周面１１ａに沿って巻き付けられるようになっている。
【００４１】
この際、製版された孔版原紙Ｇは、熱可塑性樹脂フィルムなどを用いて版胴１１の上方部位の一方側に設置された製版ユニット５内に設けた不図示のサーマルヘッドにより１版分の画像情報に応じて感熱穿孔された穿孔画像部分が製版画像として形成されているものである。
【００４２】
また、版胴１１は、初期時及び待機時に外周面１１ａ上の一部に設けられた孔版原紙クランプ部２０が例えば右斜め上方に位置するように設定された版胴基準位置に至って停止している。
【００４３】
尚、上記した版胴基準位置は、組立て時及びメイテンナス時に作業者が版胴１１を取り付けたり、又は、版胴１１を取り外すことができる位置であり、この版胴基準位置は版胴１１の中心軸１２の一端に固着させた不図示のカム板に形成した検出片と対向して設置した版胴基準位置センサ（図示せず）で検出されている。
【００４４】
また、図１（ｂ）及び図２に示す如く、上記した孔版原紙クランプ部２０では、版胴１１の外周面１１ａの一部にこの版胴１１の軸方向に沿って長尺な版取付台２１が固着されている。
【００４５】
上記した版取付台２１は、非磁性材のアルミ材又は合成樹脂材などを用いて所定の高さで版胴１１の円周方向に沿って略台形状に形成され且つ版胴１１の軸方向に沿って版胴１１の軸方向の長さＬ（図２）と略同じ長さで長尺に形成されている。
【００４６】
また、長尺な版取付台２１の上面２１ａ上には、ゴム製の磁石板２２が長手方向を版胴１１の軸方向に沿わせて版取付台２１の左右両端に向って取り付けられている。
【００４７】
また、版取付台２１上には、孔版原紙Ｇの先端部Ｇａを幅方向に沿ってクランプするためのクランプ板３０が磁石板２２と対向して開閉可能に取り付けられている。
【００４８】
このクランプ板３０は、磁性を有するステンレス材（ＳＵＳ４００番台系）を用いて折り曲げ形成されており、且つ、平坦なクランプ面３０ａの長手方向の左右端間の長さＬ１が孔版原紙Ｇの長手方向となる幅寸法Ｗよりも長く６４０ｍｍ程度に長尺に形成され、且つ、長手方向と直交する方向の寸法が２０ｍｍ程度で板厚が１ｍｍ程度に薄く弾性変形可能に形成されているので、クランプ面全体が磁石板２２に対して均一な着磁力を得られるようになっている。
【００４９】
また、クランプ板３０は、版取付台２１の長手方向の左右両端部に固定された一対の支持軸部３１，３１に対して左右の第１支点軸３２，３２を中心にして左右の第１ネジリバネ３３，３３により閉じ方向に付勢されながら開閉可能（回動可能）になっている。
【００５０】
また、クランプ板３０は、左右の第１支点軸３２，３２を介した一方側で両第１支点軸３２，３２間に亘って長尺なクランプ面３０ａが磁石板２２に対して接離可能に設けられ、且つ、左右の第１支点軸３２，３２を介した他方側に左右の第１カムフォロワー３４Ｌ，３４Ｒが版胴１１の軸方向の両端面よりも外側に向って突出した状態で取り付けられている。
【００５１】
そして、版取付台２１上の磁石板２２と、クランプ板３０のクランプ面３０ａとの間に孔版原紙Ｇの先端部Ｇａを挿入することで、磁石板２２とクランプ面３０ａとの間で孔版原紙Ｇの先端部Ｇａが磁力を介して版胴１１にクランプされるようになっている。
【００５２】
また、反時計方向に回転する版胴１１の版取付台２１上には、クランプ板３０によるクランプを解除された使用済みの孔版原紙Ｇを版取付台２１上から跳ね上げて排版ユニット６に向かわせるための跳ね上げ板３５がクランプ板３０に対して少し右側にずれた位置で開閉可能に取り付けられているので、この跳ね上げ板３５はクランプ板３０が開いた後に開かれるので、クランプ板３０の開き位置と跳ね上げ板３５の開き位置は少しタイミングをずらした位置に設定されていている。
【００５３】
上記した跳ね上げ板３５は、非磁性を有するステンレス材（ＳＵＳ３０４）を用いて折り曲げ形成されており、且つ、跳ね上げ面３５ａの長手方向の左右端間の長さＬ２が孔版原紙Ｇの長手方向となる幅寸法Ｗ及びクランプ板３０のクランプ面３０ａの長手方向の左右端間の長さＬ１よりも長く６８４ｍｍ程度に長尺に形成され、且つ、長手方向と直交する方向の寸法が８ｍｍ程度で板厚がクランプ板３０よりも厚く１．２ｍｍ程度に形成されている共に、跳ね上げ面３５ａの先端部をヘミング曲げにより版取付台２１側に１８０°折り曲げて剛性を持たせている。
【００５４】
また、跳ね上げ板３５は、跳ね上げ面３５ａがクランプ板３０によってクランプされた孔版原紙Ｇの裏面側に配置されて版取付台２１の上面２１ａに対して接離可能になっている。
【００５５】
従って、この跳ね上げ板３５は、先に説明した特許文献１とは異なって、版取付台２１上に設けた磁石板２２には吸着されないようになっている。
【００５６】
また、跳ね上げ板３５も、クランプ板３０と同様に、版取付台２１の長手方向の左右両端部に固定された一対の支持軸部３１，３１に対して左右の第２支点軸３６，３６を中心にして左右の第２ネジリバネ３７，３７により閉じ方向に付勢されながら開閉可能（回動可能）になっている。
【００５７】
また、跳ね上げ板３５は、左右の第２支点軸３６，３６を介した一方側で両第２支点軸３６，３６間に亘って長尺な跳ね上げ面３５ａが版取付台２１に対して接離可能に設けられ、且つ、左右の第２支点軸３６，３６を介した他方側に左右の第２カムフォロワー３８Ｌ，３８Ｒが版胴１１の軸方向の両端面よりも外側で且つ前記した左右の第１カムフォロワー３４Ｌ，３４Ｒよりも更に外側に向って突出した状態で取り付けられている。
【００５８】
更に、図１（ａ）及び図２に示す如く、版胴１１の上方部位には、クランプ板３０及び跳ね上げ板３５を開閉するためのカム板駆動部４０が版胴１１の軸方向の両端面よりも外側にそれぞれ設置されている。
【００５９】
上記したカム板駆動部４０は、図２及び図３に示したように、筐体２内に設けた右側板２Ｒの外側に減速ギア部４１ａをモータ軸に取り付けたカム板用モータ４１が正逆転可能に取り付けられており、減速ギア部４１ａの最終段軸４１ｂに略１６０°に亘って円弧状に形成された第１カム板４２が固着されている。
【００６０】
また、版胴１１の上方で筐体２内に設けた左右の側板２Ｌ，２Ｒ間に長尺な連結用シャフト４３が横設されている。
【００６１】
そして、連結用シャフト４３の左端側（一端側）及び右端側（他端側）で筐体２内に設けた左右の側板２Ｌ，２Ｒの内側に、外形形状が略左右対称に形成された左右の第２カム板４４Ｌ，４４Ｒが版胴１１を挟んで互いに対向し、且つ、連結用シャフト４３を左右のカム板４４Ｌ，４４Ｒに貫通して形成した軸孔４４ａ１，４４ａ２に嵌め込んで、連結用シャフト４３に左右のカム板４４Ｌ，４４Ｒが不図示の止めネジにより固着されている。そして、左右の第２カム板４４Ｌ，４４Ｒと一体に連結用シャフト４３が、この両端側に設けた左右の軸受け４５Ｌ，４５Ｒに回転可能に軸支されている。
【００６２】
一方、カム板用モータ４１によって正逆転する第１カム板４２は、右側の第２カム板４４Ｒの上方部位に略矩形状に貫通して形成した第１カム板添接孔４４ｂ（図３）内に添接可能に進入しており、この第１カム板４２の正逆転に伴って右側の第２カム板４４Ｒが連結用シャフト４３を中心にしてこの連結用シャフト４３と一体に正逆転するようになっている。これに伴って、左側の第２カム板４４Ｌが連結用シャフト４３を介して右側の第２カム板４４Ｒと同期して正逆転するようになっているので、左右の第２カム板４４Ｌ，４４Ｒはカム板用モータ４１を共用して回転駆動されている。
【００６３】
尚、この実施例では、カム板用モータ４１を版胴１１の右側に設置しているが、これに限ることなく、カム板用モータ４１を版胴１１の左右のどちらに設置するかは設計時に設定すれば良いものである。
【００６４】
ここで、左右の第２カム板４４Ｌ，４４Ｒは、図３に示す如く、外形形状が左右対称に形成されており、版胴１１の回転方向の上流側と対向する側面の上方部位に左右の上部側面４４ｃ１，４４ｃ２が板厚の幅で形成されている。
【００６５】
また、左右の第２カム板４４Ｌ，４４Ｒの左右の上部側面４４ｃ１，４４ｃ２の下方に連接してクランプ板３０のクランプ面３０ａの長手方向の左端側と右端側とを同時に開くためのクランプ板開閉用カムとなる左右の第１カム面４４ｄ１，４４ｄ２が板厚の略半分の幅で互いに内側に形成されている。
【００６６】
そして、左側の第１カム面４４ｄ１にクランプ板３０の左側の第１カムフォロワー３４Ｌが接し、且つ、右側の第１カム面４４ｄ２にクランプ板３０の右側の第１カムフォロワー３４Ｒが接するようになっている。
【００６７】
また、左右の第２カム板４４Ｌ，４４Ｒの左右の上部側面４４ｃ１，４４ｃ２の更に下方に連接して跳ね上げ板３５の跳ね上げ面３５ａの長手方向の左端側と右端側とを同時に開くための跳ね上げ板開閉用カムとなる左右の第２カム面４４ｅ１，４４ｅ２が板厚の略半分の幅で互いに外側に形成されている。
【００６８】
そして、左側の第２カム面４４ｅ１に跳ね上げ板３５の左側の第２カムフォロワー３８Ｌが接し、且つ、右側の第２カム面４４ｅ２に跳ね上げ板３５の右側の第２カムフォロワー３８Ｒが接するようになっている。
【００６９】
また、左右の第２カム板４４Ｌ，４４Ｒに形成した左右の第１カム面４４ｄ１，４４ｄ２及び左右の第２カム面４４ｅ１，４４ｅ２よりも下方に左右の下部側面４４ｆ１，４４ｆ２が板厚の幅で形成されているが、これら左右の下部側面４４ｆ１，４４ｆ２には左右の第１カムフォロワー３４Ｌ，３４Ｒ及び左右の第２カムフォロワー３８Ｌ，３８Ｒが接しないようになっている。
【００７０】
尚、この実施例では、クランプ板３０及び跳ね上げ板３５を開閉するために、連結用シャフト４３を介して回転可能に連結した左右の第２カム板４４Ｌ，４４Ｒを有するカム板駆動部４０を用いた例について説明したが、これに限ることなく、例えば特許文献１で開示されたような上下動可能なカム部材（第１カム及び第２カム）を版胴の左右の端面の外側に設けても良い。
【００７１】
更に、先に図８を用いて背景技術で説明したように、クランプ板３０のクランプ面３０ａは版取付台２１上の磁石板２２に吸着されているので撓みは生じないが、磁石板２２に吸着されていない跳ね上げ板３５の跳ね上げ面３５ａは版胴１１と一体に下方に移動したときに、自重と遠心力の作用を受けるために、跳ね上げ面３５ａが版取付台２１の上面２１ａから離間する方向に撓みが生じる。
【００７２】
そこで、この実施例では、跳ね上げ板開閉用カムとなる左右の第２カム板４４Ｌ，４４Ｒの第２カム面４４ｅ１，４４ｅ２が版胴外周側から接離する跳ね上げ板３５の左右の第２カムフォロワー３８Ｌ，３８Ｒを有効に利用して、図１（ａ）に示す如く、この左右の第２カムフォロワー３８Ｌ，３８Ｒに版胴外周側とは反対の版胴内周側から接離して、左右の第２カムフォロワー３８Ｌ，３８Ｒへの当接時に跳ね上げ板３５の跳ね上げ面３５ａが版取付台２１の上面２１ａから離間する方向に生じる撓みを抑制する左右一対のガイド部材５０Ｌ，（５０Ｒ）を、版胴１１の軸方向の左右の端面よりも外側で且つ版胴１１の外周面１１ａよりも内側に固定設置している。
【００７３】
上記した左右のガイド部材５０Ｌ，５０Ｒは、この実施例の要部となる部材であり、且つ、この実施例では、左右のガイド部材５０Ｌ，５０Ｒが版胴１１の外周面１１ａの外側の下方部位に接近して設けた用紙分離爪８と対応する位置に設置されている。
【００７４】
そして、図２に示す如く、左右のガイド部材５０Ｌ，５０Ｒは、左右一対の固定部材となる筐体２内に設けた左右の側板２Ｌ，２Ｒの各内側に左右対称に固着されている。
【００７５】
ここで、左右のガイド部材５０Ｌ，５０Ｒのうちで左側のガイド部材５０Ｌについて図４（ａ）を用いて説明し、左側に対して左右対称な右側のガイド部材５０Ｒについての説明を省略する。
【００７６】
図４（ａ）に拡大して示す如く、上記した左側のガイド部材５０Ｌは、筐体２内に設けた左側板２Ｌ（図２）の内面に略上下方向に沿って取り付けられる取付面５０ａと、この取付面５０ａよりも内側で版胴１１の軸方向の左端面側に向かう方向に所定の段差を持って引込んで取付面５０ａと平行な段差面５０ｂと、この段差面５０ｂに連接し且つ段差面５０ｂに対して内側に向かって略４５°の角度の面を略上下方向に沿って山形状に突出させた山形状ガイド面５０ｃとが剛性を有するステンレス材などを用いて一体的に形成されている。
【００７７】
上記した左側のガイド部材５０Ｌのうちで、山形状ガイド面５０ｃの上下の裾野部位は跳ね上げ板３５の左側の第２カムフォロワー３８Ｌが進退し易いように傾斜している一方、山形状ガイド面５０ｃの頂点部位は跳ね上げ板３５の左側の第２カムフォロワー３８Ｌが当接したときにクランプ板３０のクランプ面３０ａを版取付台２１の上面２１ａに沿うように変位させている。
【００７８】
そして、図４（ａ），（ｂ）に示す如く、版胴１１が反時計方向（矢印方向）に回転して、版胴１１の外周面の一部に設けた孔版原紙クランプ部２０が版胴１１の下方に移動して、版取付台２１上に開閉可能に設けたクランプ板３０及び跳ね上げ板３５のうちで、閉じ状態の跳ね上げ板３５の跳ね上げ面３５ａが版胴１１の外周面１１ａの外側の下方部位に設けた用紙分離爪８に接近したときに、左右のガイド部材５０Ｌ，５０Ｒの山形状ガイド面５０ｃ，５０ｃが版胴内周側から跳ね上げ板３５の左右の第２カムフォロワー３８Ｌ，３８Ｒに当接し、山形状ガイド面５０ｃ，５０ｃから力点となる左右の第２カムフォロワー３８Ｌ，３８Ｒに略４５°の角度の方向の力Ｆ，Ｆが加わるので、跳ね上げ板３５は左右の第２支点軸３６，３６を中心にして閉じ方向に押されると共に、作用点となる跳ね上げ面３５ａが左右の第２支点軸３６，３６を介して版取付台２１側に沿うように変位して逆反りするために、図８に示したような自重や遠心力によって生じる跳ね上げ面３５ａの撓み量δがキャンセルされる。
【００７９】
これにより、跳ね上げ板３５の跳ね上げ面３５ａは版取付台２１の上面２１ａ上に密着できるために、跳ね上げ面３５ａが用紙分離爪８に衝突しなくなるので、自重や遠心力によって生じる跳ね上げ面３５ａの撓みを抑制することができ、孔版印刷装置１の信頼性向上に寄与できる。
【００８０】
尚、この実施例では、跳ね上げ板３５の跳ね上げ面３５ａの撓みを抑制する左右のガイド部材５０Ｌ，５０Ｒを版胴１１の外周面１１ａの外側に接近して設けた用紙分離爪８に対応させて設けているが、これに限定されることなく、跳ね上げ板３５の跳ね上げ面３５ａの最大撓み部位が衝突する危険性がある部材と対応させて、左右のガイド部材５０Ｌ，５０Ｒを版胴１１の軸方向の両端面側に設けた一対の固定部材（２Ｌ，２Ｒ）に跳ね上げ板３５の開き位置以外の所定位置（所定の閉じ位置）と対応して取り付ければ良いものである。
【００８１】
更に、この実施例では、左右のガイド部材５０Ｌ，５０Ｒを筐体２内に設けた左右の側板２Ｌ，２Ｒの各内側に固定設置した例について説明したが、これに限ることなく、ここでの図示を省略するが、版胴の軸方向の内周部位に固定フレームを固定設置し、この固定フレームの外周側に版胴を回転可能に設けた場合には、固定フレームの左右一対の側端面の外側に左右一対のガイド部材を取り付けても良く、この場合に固定フレームの左右一対の側端面は版胴１１の軸方向の両端面側に設けた一対の固定部材として機能している。
【００８２】
そして、固定フレームの左右一対の側端面に対して外側に向かって４５°の角度の面を略上下方向に沿って山形状に左右対称に突出させた左右一対の山形状ガイド面を有する左右一対のガイド部材を固定フレームの左右一対の側端面の外側に取り付ければ良い。
【００８３】
上記から、一対のガイド部材（５０Ｌ，５０Ｒ）は、版胴１１の軸方向の両端面側に設けた一対の固定部材（筐体２内の左右一対の側板２Ｌ，２Ｒ又は版胴１１内の固定フレームの左右一対の側端面）に跳ね上げ板開き位置以外の所定位置と対応して取り付けられているので、版胴１１が跳ね上げ板開き位置以外の所定位置まで回転したときに、一対のガイド部材（５０Ｌ，５０Ｒ）が版胴内周側から一対の第２カムフォロワー３８Ｌ，３８Ｒに当接して、閉じ状態の跳ね上げ面３５ａを版取付台２１に沿うように変位させることができる。
【００８４】
ここで、上記構成による孔版印刷装置１の動作について、図１，図５〜図７を用いて説明する。
【００８５】
まず、図１（ａ），（ｂ）に示す如く、孔版印刷装置１内で印刷ユニット１０内の版胴１１が版胴基準位置に至っているときには、版胴１１が回転を停止しており、且つ、版胴１１の外周面１１ａの一部に設けた孔版原紙クランプ部２０のクランプ板３０及び跳ね上げ板３５は共に閉じている。
【００８６】
この状態から製版済みの孔版原紙Ｇを版胴１１に着版させる場合には、制御部９の指令によりエンコーダ付き版胴用モータ１３を始動させて、版胴１１の版胴基準位置を基準としてエンコーダパルス数の計数を開始して、版胴１１を反時計方向に回転させる。
【００８７】
この後、図５（ａ），（ｂ）に示す如く、版胴１１の反時計方向の回転に伴って、版胴１１の外周面１１ａの一部に設けた孔版原紙クランプ部２０が上方に設定した着版位置に至ったことをエンコーダ付き版胴用モータ１３からのエンコーダパルス数により制御部９が検知したら、制御部９の指令により版胴１１を着版位置に停止させると共に、カム板駆動部４０を作動させる。
【００８８】
ここで、カム板駆動部４０は、先に図３を用いて説明したように、カム板用モータ４１の減速ギア部４１ａの最終段軸４１ｂに固着させた第１カム板４２に係合する右側の第２カム板４４Ｒを回転させることで、連結用シャフト４３を介して左右の第２カム板４４Ｌ，４４Ｒを同時に回転させる。
【００８９】
そして、上記した着版位置では、版胴１１がクランプ板開き位置まで回転しており、且つ、左右の第２カム板４４Ｌ，４４Ｒの回転に伴って、先に図３を用いて説明した左右の第２カム板４４Ｌ，４４Ｒに形成した左右の第１カム面４４ｄ１，４４ｄ２が版胴外周側からクランプ板３０の長手方向の左右端側に取り付けた左右の第１カムフォロワー３４Ｌ，３４Ｒに当接して、左右の第１カム面４４ｄ１，４４ｄ２で左右の第１カムフォロワー３４Ｌ，３４Ｒを上方から下方に向って押し付けるので、クランプ板３０が左右の第１ネジリバネ３３，３３に抗して左右の第１支点軸３２，３２を中心にして反時計方向に回動して開放状態とされる。
【００９０】
また、図５（ｂ）に示すように、着版位置では、跳ね上げ板３５は閉じたままである。
【００９１】
そして、クランプ板３０のクランプ面３０ａの長手方向の左端側と右端側を同時に開いた後に、先に図１を用いて説明したように、製版ユニット５で製版した製版済みの孔版原紙Ｇの先端部Ｇａを版取付台２１上の磁石板２２とクランプ面３０ａとの間に挿入し、この後、版胴１１を着版位置から反時計方向に回転させると共に、カム板駆動部４０のカム板用モータ４１を介して第１カム板４２及び左右の第２カム板４４Ｌ，４４Ｒを上記に対して逆転させれば、左右の第２カム板４４Ｌ，４４Ｒに形成した上部側面４４ｃ１，４４ｃ２の下端部位近傍に左右の第１カムフォロワー３４Ｌ，３４Ｒが添接して、クランプ面３０ａの長手方向の両端側が略同時に閉じられるので、製版済みの孔版原紙Ｇを磁石板２２とクランプ板３０との間にクランプすることができる。
【００９２】
次に、図６（ａ），（ｂ）に示す如く、孔版原紙Ｇの先端部Ｇａを孔版原紙クランプ部２０の磁石板２２とクランプ板３０との間でクランプした後、版胴１１を反時計方向に更に回転させると、版胴１１の外周面１１ａの一部に設けた孔版原紙クランプ部２０が下方に至る。
【００９３】
このとき、版胴１１の下方ではプレスローラ７が版胴１１の中心軸１２の一端に固着させた不図示のカム板に形成した突出片に押されて下方に退避するので、退避したプレスローラ７を孔版原紙クランプ部２０が通過したことを制御部９はエンコーダ付き版胴用モータ１３からのエンコーダパルス数により検知する。
【００９４】
この後、制御部９は、ソレノイドなどによる不図示のプレスローラ押圧駆動部を介してプレスローラ７を給紙ユニット３から搬送された用紙Ｐと、版胴１１の外周面１１ａに巻回した製版済みの孔版原紙Ｇとに押し当てて、用紙Ｐを下流側に向って搬送しながら版胴１１内に供給されたインクＩＫを製版済みの孔版原紙Ｇを通して用紙Ｐ上に孔版原紙Ｇの製版画像に応じたインク画像の印刷を開始する。
【００９５】
そして、印刷済みの用紙Ｐの先端部は、用紙分離爪８によって版胴１１側から分離されて排紙ユニット４に向けて搬送される。
【００９６】
ここで、孔版原紙クランプ部２０のクランプ板３０及び跳ね上げ板３５が版胴１１の外周面１１ａの外側の下方部位に設けた用紙分離爪８に接近したとき、言い換えると、版胴１１が跳ね上げ板開き位置以外の所定位置となる用紙分離爪８の近傍まで回転したときに、先に図４を用いて説明したように、左右のガイド部材５０Ｌ，（５０Ｒ）の山形状ガイド面５０ｃ，（５０ｃ）が版胴内周側から跳ね上げ板３５の左右の第２カムフォロワー３８Ｌ，（３８Ｒ）に当接するので、自重や遠心力で生じる跳ね上げ面３５ａの撓みが抑制されるために、跳ね上げ面３５ａは用紙分離爪８に衝突することなく、版胴１１と一体に更に反時計方向に回転し、用紙Ｐの印刷が続行される。
【００９７】
その後、用紙Ｐへの印刷を複数回繰り返して複数枚全て印刷が終了した段階で、版胴１１に巻き付けられた孔版原紙Ｇは使用済みとなるので、版胴１１と一体に孔版原紙クランプ部２０を図７（ａ），（ｂ）に示した孔版原紙Ｇの排版位置まで回転させている。
【００９８】
次に、図７（ａ），（ｂ）に示す如く、版胴１１が排版位置に達したときには、版胴１１がクランプ板開き位置及び跳ね上げ板開き位置まで回転する。
【００９９】
この時に、版胴１１の外周面１１ａに設けた孔版原紙クランプ部２０が排版位置に至る寸前に孔版原紙クランプ部２０のカム板用モータ４１を作動させて、第１カム板４２及び左右の第２カム板４４Ｌ，４４Ｒを回転して、左右の第２カム板４４Ｌ，４４Ｒの第１カム面４４ｄ１，４４ｄ２によりクランプ板３０の左右端側を開いて、磁石板２２とクランプ板３０とで挟持されていた使用済みの孔版原紙Ｇの先端部Ｇａへのクランプを解除する。
【０１００】
そして、使用済みの孔版原紙Ｇに対してクランプを解除した後、更に左右の第２カム板４４Ｌ，４４Ｒを回転させて、左右の第２カム板４４Ｌ，４４Ｒの第２カム面４４ｅ１，４４ｅ２が版胴外周側から跳ね上げ板３５の長手方向の左右端側に取り付けた左右の第２カムフォロワー３８Ｌ，３８Ｒに当接して、左右の第２カム面４４ｅ１，４４ｅ２で左右の第２カムフォロワー３８Ｌ，３８Ｒを上方から下方に向って押し付けるので、跳ね上げ板３５が左右の第２ネジリバネ３７，３７に抗して左右の第２支点軸３６，３６を中心にして反時計方向に回動して開放状態とされる。
【０１０１】
そして、跳ね上げ板３５を開くと、クランプ板３０によるクランプを解除された使用済みの孔版原紙Ｇの先端部Ｇａが跳ね上げ板３５の跳ね上げ面３５ａにて版取付台２１上から跳ね上げられて、この後、版胴１１の回転に伴って孔版原紙Ｇが排版ユニット６側に搬送される。
【０１０２】
以上詳述した本発明に係る孔版印刷装置１によれば、Ａ３サイズの用紙よりも大型サイズで例えばＡ２サイズの用紙Ｐを印刷可能とする孔版印刷装置１を開発するに当たって、版胴１１の外周面１１ａの一部に版胴１１の軸方向に沿って長尺な版取付台２１を固着させた上で、この版取付台２１上に開閉可能に取り付けたクランプ板３０と跳ね上げ板３５のうちで、跳ね上げ板３５の跳ね上げ面３５ａが版取付台２１上から離間する方向に生じる撓みを抑制する際に、跳ね上げ板開閉用カム４４ｅ１，４４ｅ２が版胴外周側から接離する跳ね上げ板３５の一対の第２カムフォロワー３８Ｌ，３８Ｒを有効に利用して、版胴１１が跳ね上げ板開き位置以外の所定位置まで回転したときに版胴内周側から一対の第２カムフォロワー３８Ｌ，３８Ｒに当接して、閉じ状態の跳ね上げ板３５の跳ね上げ面３５ａを版取付台２１に沿うように変位させる一対のガイド部材（５０Ｌ，５０Ｒ）を、版胴１１の軸方向の両端面側に設けた一対の固定部材（筐体２内の左右一対の側板２Ｌ，２Ｒ又は版胴１１内の固定フレームの左右一対の側端面）に跳ね上げ板開き位置以外の所定位置と対応して取り付けているので、少量の追加部品となる一対のガイド部材（５０Ｌ，５０Ｒ）を追加するだけで、跳ね上げ板３５の跳ね上げ面３５ａが版取付台２１上から離間する方向に生じる撓みを抑制することができる。
【符号の説明】
【０１０３】
１…孔版印刷装置、２…筐体、２Ｌ，２Ｒ…左右の側板（一対の固定部材）、
３…給紙ユニット、４…排紙ユニット、５…製版ユニット、６…排版ユニット、
７…プレスローラ、８…用紙分離爪、９…制御部、
１０…印刷ユニット、
１１…版胴、１１ａ…外周面、１２…中心軸、１３…エンコーダ付き版胴用モータ、
２０…孔版原紙クランプ部、
２１…版取付台、２２…磁石板、
３０…クランプ板、３０ａ…クランプ面、３１…支持軸部、３２…第１支点軸、
３３…第１ネジリバネ、３４Ｌ，３４Ｒ…左右の第１カムフォロワー、
３５…跳ね上げ板、３５ａ…跳ね上げ面、３６…第２支点軸、３７…第２ネジリバネ、
３８Ｌ，３８Ｒ…左右の第２カムフォロワー、
４０…カム板駆動部、４１…カム板用モータ、４１ａ…減速ギア部、４１ｂ…最終段軸、
４２…第１カム板、４３…連結用シャフト、
４４Ｌ，４４Ｒ…左右の第２カム板、４４ａ１，４４ａ２…軸孔、
４４ｂ…第１カム板添接孔、４４ｃ１，４４ｃ２…左右の上部側面、
４４ｄ１，４４ｄ２…クランプ板開閉用カム（左右の第１カム面）、
４４ｅ１，４４ｅ２…跳ね上げ板開閉用カム（左右の第２カム面）、
４４ｆ１，４４ｆ２…左右の下部側面、
５０Ｌ，５０Ｒ…左右のガイド部材、５０ａ…取付面、５０ｂ…段差部、
５０ｃ…山形状ガイド面、
Ｇ…孔版原紙、Ｇａ…先端部、ＩＫ…インク、Ｐ…用紙。
【図１】
2014213520.tif 000003
【図２】
2014213520.tif 000004
【図３】
2014213520.tif 000005
【図４】
2014213520.tif 000006
【図５】
2014213520.tif 000007
【図６】
2014213520.tif 000008
【図７】
2014213520.tif 000009
【図８】
2014213520.tif 000010